(57)【要約】【課題】  デジタルカメラで撮影して作成した画像データを顧客毎に容易に分類してサーバ装置に格納することができる、写真撮影システムを提供する。【解決手段】  撮影により画像データを作成するデジタルカメラ１１０と、デジタルカメラ１１０で作成した画像データをデータ記憶領域３１５に格納するサーバ装置３００と、データ記憶領域３１５を指定する撮影者用端末装置１２０とを備え、撮影者用端末装置１２０は、サーバ装置３００に対して撮影受付の際にデータ記憶領域３１５に確保している顧客毎の格納場所を指定する。サーバ装置３００は、撮影者用端末装置１２０から指定した格納場所に、デジタルカメラ１１０から送信した画像データを格納する。デジタルカメラ１１０からサーバ装置３００への画像データの送信は、無線ＬＡＮ１１で行う。【選択図】  図１
2006295254.tif 000002
【特許請求の範囲】
【請求項１】
撮影により画像データを作成するデジタルカメラと、該デジタルカメラで作成した画像データを記憶領域に格納するサーバ装置と、該サーバ装置に接続された撮影者用端末装置と、を備えた写真撮影システムであって、
上記撮影者用端末装置は、上記記憶領域に確保されている顧客毎の格納場所を指定するよう上記サーバ装置に指定要求を行い、
上記サーバ装置は、上記撮影者用端末装置から指定された格納場所に、上記デジタルカメラから送信された画像データを格納することを特徴とする、写真撮影システム。
【請求項２】
撮影により画像データを作成するデジタルカメラと、該デジタルカメラで作成した画像データを記憶領域に格納するサーバ装置と、該サーバ装置に接続された撮影者用端末装置と、を備えた写真撮影システムであって、
上記サーバ装置は、上記撮影者用端末装置からの要求を受けて該要求に対する返答を行う送受信部と、上記デジタルカメラから送信された画像データを受信する画像データ受信部と、該画像データ受信部が受信した画像データの格納場所を指定する格納場所指定部とを備え、
上記送受信部が、被撮影者に関する情報を一覧表示するよう上記撮影者用端末装置から被撮影者一覧表示要求を受信すると、上記記憶領域に格納されている撮影受付済みの被撮影者名に基いて被撮影者の一覧情報を上記格納場所指定部に作成させ、作成した一覧情報を上記撮影者用端末装置に返信し、
上記撮影者用端末装置が、上記送受信部から上記一覧情報を受信すると、受信した一覧情報を表示入力部に表示し、
上記撮影者用端末装置が、上記表示入力部に被撮影者名の選択入力を受けると、該被撮影者名に対応する格納場所を指定するよう上記サーバ装置に指定要求を行い、
上記サーバ装置が上記指定要求を受けると、上記格納場所指定部は該指定要求と共に受信した被撮影者名を上記画像データ受信部に通知し、上記画像データ受信部は受信する画像データを通知された被撮影者名に対応した格納場所に格納するようにしたことを特徴とする、写真撮影システム。
【請求項３】
前記サーバ装置は、前記記憶領域に格納場所を確保する格納場所管理部を備え、
前記サーバ装置は、顧客の撮影受付を行う受付用端末装置と接続されており、
顧客の撮影受付を行った旨の通知を前記サーバ装置が受信すると、前記格納場所管理部が、上記通知に基いて前記記憶領域に該顧客用の格納場所を確保することを特徴とする、請求項２に記載の写真撮影システム。
【請求項４】
前記デジタルカメラと前記サーバ装置との間は無線ＬＡＮで接続されており、
前記デジタルカメラは、作成した画像データを上記無線ＬＡＮを経由して前記サーバ装置に送信することを特徴とする、請求項１又は２に記載の写真撮影システム。
【発明の詳細な説明】
【技術分野】
【０００１】
本発明は、顧客毎に撮影して作成した画像データを容易にかつ即座にサーバ装置に格納することができ、撮影業務の効率化を図った写真撮影システムに関する。
【背景技術】
【０００２】
従来、写真館内のスタジオ等では、被撮影者を所謂銀塩カメラで撮影し、現像処理等を行って写真を作成していた。また、特許文献１には、所謂銀塩カメラとして構成された主カメラ及びデジタルカメラとしての補助カメラにより被撮影者を同時に撮影することで、主カメラでの撮影状況を補助カメラの撮影状況から判断するようにした、写真撮影システムが開示されている。
一方で、現像処理等を不要とするデジタルカメラのみで撮影も行われている。デジタルカメラで撮影した場合には、デジタルカメラで作成された画像データを一旦記録媒体に格納し、該記録媒体を写真館のサーバ装置などにセットして記憶媒体内の画像データをサーバ装置に移動させたり、記録媒体を介在させずにデジタルカメラとサーバ装置との間をケーブルで接続して、サーバ装置にデジタルカメラから転送するようにしている。
【特許文献１】特公平０７−１１３７３３号公報
【発明の開示】
【発明が解決しようとする課題】
【０００３】
しかしながら、このようなデジタルカメラによる写真撮影システムにおいては、デジタルカメラで撮像した画像データをサーバ装置に移動する場合には、デジタルカメラから記録媒体を取り出してサーバ装置にセットする必要があるので、作業が煩雑になると共に、手作業によるミスが発生する可能性がある。
また、デジタルカメラをケーブルでサーバ装置に接続している場合には、例えば被撮影者が幼児等の場合に、床面等に引き回されるケーブルに足を取られるおそれがある。
【０００４】
更に、ある顧客が衣裳替えなど撮影を中断している際に他の顧客を撮影することで、一つのスタジオで複数の顧客に対応することが考えられる。しかし、この場合、一台のデジタルカメラで顧客毎に分類して記録させることができないことから、顧客毎の画像データをサーバ装置に移動させる場合、顧客毎に画像データを分類する必要があり、作業が煩雑となり時間を要するばかりか、間違って分類してしまうこともある。また、顧客毎にデジタルカメラに記録媒体をセットし直して撮影することもできるが、この場合は顧客毎に記憶媒体を用意する必要があり、顧客が入れ替わる毎に記録媒体をセットし直すので、間違いの元になる。
【０００５】
本発明は、以上の点に鑑み、デジタルカメラで撮影して作成した画像データを顧客毎に容易に分類してサーバ装置に格納することができる、写真撮影システムを提供することを目的とする。
【課題を解決するための手段】
【０００６】
上記目的を達成するために、本発明の写真撮影システムは、撮影により画像データを作成するデジタルカメラと、デジタルカメラで作成した画像データを記憶領域に格納するサーバ装置と、サーバ装置に接続された撮影者用端末装置と、を備えた写真撮影システムであって、撮影者用端末装置は、上記記憶領域に確保されている顧客毎の格納場所を指定するようサーバ装置に指定要求を行い、サーバ装置は、撮影者用端末装置から指定された格納場所に、デジタルカメラから送信された画像データを格納することを特徴とする。
【０００７】
上記構成によれば、撮影を行う前に、サーバ装置の記憶領域に確保されている顧客毎の格納場所を撮影者用端末装置側から指定するので、デジタルカメラからサーバ装置に対し送信された画像データを、その指定された格納場所に格納することができる。従って、従来のようなデジタルカメラから記録媒体を抜いてサーバ装置にセットするような煩雑な手作業がなくなるので、作業ミスを未然に防止することができ、撮影業務を円滑に行うことができる。
また、撮影者は顧客が入れ替わっても、その度に、撮影者用端末装置から顧客毎の格納場所を指定するので、被撮影者が衣裳替えを行ってもその空いた時間を有効利用して他の顧客に対応することができる。従って、スタジオを効率良く使用することができ、都市圏内のような場所を広く確保できないような場所にも写真館などの各店舗を展開することができる。
【０００８】
また、本発明の写真撮影システムは、撮影により画像データを作成するデジタルカメラと、デジタルカメラで作成した画像データを記憶領域に格納するサーバ装置と、サーバ装置に接続された撮影者用端末装置と、を備え、サーバ装置は、撮影者用端末装置からの要求を受けてこの要求に対する返答を行う送受信部と、デジタルカメラから送信された画像データを受信する画像データ受信部と、画像データ受信部が受信した画像データの格納場所を指定する格納場所指定部とを備え、送受信部が、被撮影者に関する情報を一覧表示するよう撮影者用端末装置から被撮影者一覧表示要求を受信すると、記憶領域に格納されている撮影受付済みの被撮影者名に基いて被撮影者の一覧情報を格納場所指定部に作成させ、作成した一覧情報を撮影者用端末装置に返信し、撮影者用端末装置が、送受信部から一覧情報を受信すると、受信した一覧情報を表示入力部に表示し、撮影者用端末装置が、表示入力部に被撮影者名の選択入力を受けると、該被撮影者名に対応する格納場所を指定するようサーバ装置に指定要求を行い、サーバ装置が指定要求を受けると、格納場所指定部はこの指定要求と共に受信した被撮影者名を画像データ受信部に通知し、画像データ受信部は受信する画像データを通知された被撮影者名に対応した格納場所に格納するようにしたことを特徴とする。
【０００９】
上記構成によれば、撮影受付を行った顧客の一覧を撮影者用端末装置がサーバ装置から入手して表示するので、撮影者はその顧客の一覧から選択することで、記憶領域に確保されている顧客毎の格納場所を容易に指定することができる。よって、デジタルカメラから送られてきた画像データをその指定された格納場所に格納することができる。
【００１０】
上記構成において、好ましくは、サーバ装置は、記憶領域に格納場所を確保する格納場所管理部を備え、サーバ装置は、顧客の撮影受付を行う受付用端末装置と接続されており、顧客の撮影受付を行った旨の通知をサーバ装置が受信すると、格納場所管理部が、当該通知に基いて記憶領域に顧客用の格納場所を確保する。
【００１１】
上記構成によれば、撮影受付をした顧客の氏名が受付用端末装置に入力されることで、サーバ装置の記憶領域内にその顧客用の格納場所が確保される。よって、撮影業務を効率良く行うことができる。
【００１２】
上記構成において、好ましくは、デジタルカメラとサーバ装置との間は無線ＬＡＮで接続されており、デジタルカメラは、作成した画像データを無線ＬＡＮを経由してサーバ装置に送信する。
【００１３】
上記構成によれば、デジタルカメラとサーバ装置とをケーブルで接続する必要がなくなり、撮影場所にケーブルを這わす煩わしさも解消できるので、撮影者が顧客に注意を促す必要がなく、安全性がより高まり、撮影業務の効率が向上する。また、撮影場所で目障りなケーブル類をなくすことができる。さらには、スタジオ内において各種アングルで被写体を撮影することができ、顧客のニーズに応じて写真撮影を行うことができる。
【発明の効果】
【００１４】
本発明による写真撮影システムによれば、撮影者用端末装置からサーバ装置の記憶領域の格納箇所を指定して、デジタルカメラから画像データを送信することができる。よって、顧客毎に画像データを自動的にサーバ装置の記憶領域に格納することができる。
また、受付用端末装置からサーバ装置に対して、顧客が撮影受付したことが通知されることにより、サーバ装置の記憶領域内にその顧客用の格納場所を確保することができ、業務を円滑に進めることができる。
また、デジタルカメラからサーバ装置に対して無線ＬＡＮを経由して画像データを転送することができるので、デジタルカメラ内の画像データを迅速にサーバ装置に格納することができ、撮影業務の効率性を高めることができる。
【発明を実施するための最良の形態】
【００１５】
以下、図面に示した実施形態に基づいて本発明を詳細に説明する。
先ず、本発明の写真撮影システム１０が組み込まれる写真撮影印刷管理システム１全体の構成について説明する。
図１は、本発明の写真撮影システム１０が組み込まれる写真撮影印刷管理システム１の構成図である。写真撮影印刷管理システム１は、図１に示すように、写真撮影システム１０とデータセンターサーバ装置２０と印刷加工受付装置３０と管理センターサーバ装置４０とをネットワークで接続して構築されている。
【００１６】
複数の写真撮影システム１０のそれぞれが、高速通信ネットワークなどの第１のネットワーク５０でデータセンターサーバ装置２０や管理センターサーバ装置４０に接続されて、写真撮影システム１０とデータセンターサーバ装置２０と管理センターサーバ装置４０との間で、写真撮影システム１０で作成された画像データや装置間同士での制御情報などの送受信を行う。そのため、第１のネットワーク５０は、ＩＰ−ＶＰＮ（Internet Protocol Virtual Private Network ）など仮想私設専用網とするのが好適である。
一方、データセンターサーバ装置２０と印刷加工受付装置３０とは、図１に示したように、第１のネットワーク５０とは異なる第２のネットワーク６０、例えばインターネットなどの公的な通信網で接続されているが、第１のネットワーク５０で接続されるようにしてもよい。
【００１７】
写真撮影システム１０は、顧客の撮影受付や被写体、即ち、被撮影者の撮影などの各種業務と、アルバムなどの印刷媒体として顧客に渡すことができるように加工準備業務と、を行う。
データセンターサーバ装置２０は、写真撮影システム１０で撮影により作成された画像データや顧客情報を取り纏めて管理を行い、印刷加工受付装置３０に対して印刷発注業務を行う。
管理センターサーバ装置４０は、写真撮影印刷管理システム１全体を統括管理する。例えば、写真印刷システム１０により撮影業務により生じる経理処理などを行う。
印刷加工受付装置３０は、データセンターサーバ装置２０を経由して写真撮影システム１０から、印刷媒体に加工するよう依頼を受け付け、この依頼に対応して印刷媒体を作成する。
【００１８】
次に、本発明の写真撮影システム１０について詳細に説明する。
図２は、本発明の写真撮影システム１０の構成図である。写真撮影システム１０は、管理センターサーバ装置４０を運営する会社の各営業店やフランチャイズ店舗等（以下、「営業店等」という。）に構築されるものであり、各営業店等の撮影スタジオ内に配備されて被撮影者２を撮影する撮影部１００と、顧客の受付業務や注文受付業務を行う受付部２００と、この写真撮影システム１０を統括管理し、顧客の予約情報や撮影部１００で作成された画像データなど各種の情報を格納するサーバ装置３００とを備えている。
【００１９】
次に、撮影部１００について詳細に説明する。
撮影部１００は、撮影者３が被撮影者２を撮影するためのデジタルカメラ１１０と、撮影者３が利用する撮影者用端末装置１２０と、を備えている。
ここで、デジタルカメラ１１０とサーバ装置３００とはケーブルで接続されておらず、デジタルカメラ１１０で撮影により作成された画像データをデジタルカメラ１１０から無線ＬＡＮ（Local Area Network）１１を介在して順次送出される。そのため、電波中継器である無線ＬＡＮアクセスポイント１２が設置されており、無線ＬＡＮアクセスポイント１２は、後述する有線ＬＡＮ１３との中継点の役目も果たしている。
【００２０】
デジタルカメラ１１０は、撮影で画像データを作成する撮影処理部１１１と、撮影処理部１１１で作成された画像データをサーバ装置３００に送信する画像データ送信部１１２と、を備える。撮影処理部１１１は、例えば約１６７０万画素の３５ｍｍフルサイズのＣＭＯＳセンサーで撮影して画像データを作成する。
【００２１】
撮影者用端末装置１２０は、サーバ装置３００に対して各種要求を行い、その要求に対応した返答を受信する送受信部１２１と、サーバ装置３００に対して各種要求を行えるように、撮影者３に対して各種情報を表示し、かつ撮影者３からの入力を受け付ける表示入力部１２２と、撮影者用端末装置１２０内を制御する制御部１２３とを備える。ここで、表示入力部１２２は、タッチパネル式ディスプレイであっても、表示部と該表示部の表示画面上でカーソル等を移動させて選択入力するポインティングデバイスやキーボードなどの入力部とから構成されていてもよい。
【００２２】
次に、受付部２００について詳細に説明する。
受付部２００は、撮影の予約業務や受付業務に用いられる受付用端末装置２１０と、撮影終了後顧客が撮影部１００で撮影した結果を閲覧し、その中からアルバムなどの印刷媒体中に含ませる画像情報を選択指定するために用いられる顧客用端末装置２２０と、精算業務に用いられるＰＯＳ（Point of Sales）端末機などの精算業務用端末装置２３０と、を備える。これら受付用端末装置２１０，顧客用端末装置２２０，精算業務用端末装置２３０はサーバ装置３００と有線ＬＡＮ１３で接続されており、サーバ装置３００の外部入出力装置として機能し、サーバ装置３００と連携して各種業務を行う。
【００２３】
そのため、受付用端末装置２１０はサーバ装置３００に対して各種要求を行い、その要求に対応した返答を受信する送受信部２１１と、サーバ装置３００に対して各種要求を行えるように、受付店員に対して各種情報を表示し、かつ受付店員からの入力を受け付ける表示入力部２１２と、受付用端末装置２１０内を制御する制御部２１３とを備えている。また、顧客用端末装置２２０，精算業務用端末装置２３０も、同様に、送受信部２２１，２３１と表示入力部２２２，２３２と制御部２２３，２３３とを備えている。
【００２４】
ここで、サーバ装置３００について詳細に説明する。
図３はサーバ装置３００の内部機能を模式的に示した構成図である。サーバ装置３００は情報記憶領域３１１とデータ記憶領域３１５とを備えた記憶部３１０を有している。記憶情報領域３１１は、撮影予約者の氏名などを格納する予約情報欄と、撮影受付を行った顧客の氏名などを格納する受付情報欄と、撮影を終了してまだ印刷発注を行っていない顧客の氏名などを格納する発注待ち情報欄と、を備える。この記憶情報領域３１１には、各種業務に必要となる情報、例えば、印刷媒体に加工する際の台紙情報や料金明細情報などを格納してもよい。一方、データ記憶領域３１５には、デジタルカメラ１１０で撮影して送信された画像データを格納する。記憶部３１０は、サーバ装置３００内に設けられても、外付けであってもよい。
【００２５】
サーバ装置３００は、撮影者用端末装置１２０や受付用端末装置２１０や顧客用端末装置２２０や精算用業務用端末装置２３０からの各種要求を受けて、これらの要求に対する返答をそれぞれ返信する送受信部３２０を備える。送受信部３２０は受信した要求内容に応じて以下説明する各部に振り分けて転送する。
【００２６】
例えば、サーバ装置３００は、受付用端末装置２１０と連携し予約受付業務の際に用いられる予約管理部３３０を備える。即ち、予約管理部３３０は、受付用端末装置２１０から送受信部３２０を経由して予約画面の送信要求を受けると、受付用端末装置２１０の表示入力部２１２に予約画面を送信し、表示入力部２１２にその予約画面を表示させることにより、予約受付に必要な情報の入力を店員に対して促す。店員から予約者の氏名などの入力を受付用端末装置２１０が受けると、予約管理部３３０に予約情報として送信するので、予約管理部３３０は受信した予約情報を記憶部３１０に格納する。例えば、情報記憶領域３１１の予約情報欄にその顧客の氏名や会員番号等を格納する。
【００２７】
また、サーバ装置３００は、受付用端末装置２１０と連携し撮影の受付業務の際に用いられる受付管理部３４０を備える。受付管理部３４０は、受付用端末装置２１０から送受信部３２０を経由して撮影受付画面の送信要求を受けると、受付用端末装置２１０の表示入力部２１２に撮影受付画面を送信し、表示入力部２１２にその撮影受付画面を表示させることにより、受付を行った顧客の顧客情報の入力を店員に対して促す。このとき、情報記憶領域３１１に格納されている予約情報から、例えばその日時に予約が入っている顧客の情報から顧客の氏名や会員番号を抽出して表示することが好ましい。そして、来店した顧客の氏名や会員番号などの入力を店員から受付用端末装置２１０が受けると、受付管理部３４０に受付情報として送信し、受付管理部３４０は受付情報を受信すると、情報記憶領域３１１の受付情報欄にその顧客の氏名や会員番号などを格納する。
【００２８】
また、サーバ装置３００は、受付管理部３４０により受付情報欄に顧客の氏名等を格納する毎に、データ記憶領域３１５に、その顧客用のデータを格納するための領域を確保し、確保した領域の管理を行う格納場所管理部３５０を備えている。即ち、格納場所管理部３５０は、受付管理部３４０と連携して、受付用端末装置２１０から撮影のために来店した顧客の氏名や会員番号の入力をサーバ装置３００が受けると、データ記憶領域３１５にその顧客の画像データを格納するための格納場所を確保する。具体的には、サーバ装置３００には所謂ファイル管理用のプログラムが搭載されており、このプログラムを起動させて、データ記憶領域３１５にその顧客用のフォルダを作成し、フォルダ名として顧客の氏名及び／又は会員番号を付する。
【００２９】
また、サーバ装置３００は、撮影者用端末装置１２０に対して、撮影当日受付を行った顧客の一覧を表示すると共に、撮影者用端末装置１２０から送信された顧客の氏名などに基いてデータ記憶領域３１５内の格納場所を指定する格納場所指定部３６０を備える。即ち、格納場所指定部３６０は、撮影者用端末装置１２０から送受信部３２０を経由して、撮影当日受付を行った顧客一覧の表示要求を受けると、情報記憶領域３１１の受付情報欄に格納されている顧客名などの顧客情報を参照して、被撮影者の一覧情報を作成し、該一覧情報を送受信部３２０を経由させて、撮影者用端末装置１２０の表示入力部１２２に表示させる。このとき、撮影者に対していま現に撮影しようとする顧客の氏名を選択するように指示表示するが、顧客の氏名に限らず顧客の会員番号などでもよい。この指示表示により表示入力部１２２が撮影者３から今撮影しようとする被撮影者の氏名の入力を受けると、この入力された情報が、格納場所指定情報として撮影者用端末装置１２０からサーバ装置３００に送信される。格納場所指定部３６０は、送受信部３２０を経由して格納場所指定情報を受けると、画像データ受信部３７０に対してこの格納場所指定情報、具体的には、データ記憶領域３１５内のフォルダ名を通知する。これにより、後述するように画像データ受信部３７０が受信する画像データをその通知されたデータ記憶領域３１５のフォルダ内に格納する。
【００３０】
また、サーバ装置３００は、デジタルカメラ１１０から送信された画像データを受信し、データ記憶領域３１５に記憶させる画像データ受信部３７０を備えている。即ち、前述のように画像データ受信部３７０は格納場所指定部３６０により通知された格納場所指定情報を一時保持しておき、デジタルカメラ１１０から画像データを受信すると、この格納場所指定情報に基いてデータ記憶領域３１５内の格納場所を特定し、この特定した格納場所に受信した画像データを格納する。具体的には、格納場所指定情報から対応するデータ記憶領域３１５内のフォルダを認識し、この認識したフォルダ内に受信した画像データを格納する。
【００３１】
また、サーバ装置３００は、データ記憶領域３１５内の各格納場所に格納されている画像データに基いてサムネイル画像を作成するサムネル画像作成部３８０や、顧客用受付端末２２０と連携して顧客用端末装置２２０の表示入力部２２２にサムネイル画像の一覧を表示させ、この一覧から印刷すべき画像データを顧客に選択させて印刷注文を受ける印刷受付部３９０を備えている。ここで、サムネイルとは、画像の絵柄が一目で分かるように小さく表示した画像の見本であって、サムネイル画像作成部３８０にはサムネイル画像作成プログラムが格納されている。
【００３２】
次に、本発明の写真撮影システム１０により、撮影予約、撮影当日の受付、撮影、写真発注がどのようになされるかについて、詳細に説明する。
先ず、写真撮影システム１０の撮影予約手順について説明する。
図４は、本発明の写真撮影システム１０の撮影予約手順を示したシーケンス図である。予め顧客は写真撮影の予約を行うために、例えば、営業店等に来店し、店員から写真撮影の流れなどの説明を受ける。図４に示したシーケンス図は、店員が受付用端末装置２１０を操作する場合で説明している。
【００３３】
受付用端末装置２１０からサーバ装置３００に対して予約画面の送信要求がなされると（ＳＴ１−１）、サーバ装置３００の予約管理部３３０は受信した送信要求に対応し、予約画面を返信する（ＳＴ１−２）。
受付用端末装置２１０は、受信した予約画面を表示入力部２１２に表示し、店員に対して顧客の氏名や撮影日時などの予約情報の入力を促す（ＳＴ１−３）。そして、受付用端末装置２１０は表示入力部２１２に対して予約情報の入力を受けると（ＳＴ１−４）、表示入力部２１２に入力された予約情報を予約管理部３３０に送信する（ＳＴ１−５）。
予約情報を受信した予約管理部３３０は、記憶部３１０の情報記憶領域３１１の予約情報欄に予約者の氏名等を格納する（ＳＴ１−６）。
このように、顧客からの撮影予約に関する情報が、サーバ装置３００に登録される。
【００３４】
次に、写真撮影システム１０の撮影受付手順について説明する。
図５は、本発明の写真撮影システム１０の撮影受付手順を示したシーケンス図である。顧客は撮影当日、営業店等に来店し、受付カウンターなどで撮影受付を行う。図５に示したシーケンス図は、店員が受付用端末装置２１０を操作する場合で説明している。
【００３５】
受付用端末装置２１０からサーバ装置３００に対して受付画面の送信要求がなされると（ＳＴ２−１）、サーバ装置３００の受付管理部３４０は受けた送信要求に対応し、受付画面を返信する（ＳＴ２−２）。
受付用端末装置２１０は、受信した受付画面を表示入力部２１２に表示し、店員に対して、受付した顧客の氏名などの顧客情報の入力を促す（ＳＴ２−３）。
そして、受付用端末装置２１０は、表示入力部２１２に対して顧客情報の入力を受けると（ＳＴ２−４）、表示入力部２１２に入力された顧客情報を受付情報として受付管理部３４０に送信する（ＳＴ２−５）。
【００３６】
受付情報を受信した受付管理部３４０は、記憶部３１０の情報記憶領域３１１の受付情報欄に顧客の氏名等を格納する（ＳＴ２−６）。また、この格納処理と相前後して、格納場所管理部３５０に対して受付情報を送信し（ＳＴ２−７）、格納場所管理部３５０は、当日撮影で作成される画像データの格納場所を、データ記憶領域３１５に確保する（ＳＴ２−８）。この格納場所は、顧客毎に確保される。
このようにして、受付処理と同時に、撮影で作成された画像データを格納するために、その格納場所をサーバ装置３００のデータ記憶領域３１５に予め確保しておく。
【００３７】
次に、写真撮影システム１０による撮影手順について説明する。
図６は本発明の写真撮影システム１０の撮影手順を示すシーケンス図である。顧客は撮影の受付が終了すると、例えば撮影用衣裳に着替えて撮影スタジオに入る。図６に示したシーケンス図は、撮影を行うカメラマンが撮影者用端末装置１２０を操作する場合で説明している。
撮影者用端末装置１２０からサーバ装置３００に対して被撮影者一覧要求の送信がなされると（ＳＴ３−１）、サーバ装置３００の格納場所指定部３６０は、受けた被撮影者一覧要求に対応し、記憶部３１０の情報記憶領域３１１から前述のＳＴ２−６で受付情報欄に格納されている顧客情報を参照して、被撮影者一覧情報を作成する（ＳＴ３−２）。このとき、被撮影者の氏名を基にして被撮影者一覧情報が作成されることが好ましい。そして、撮影者用端末装置１２０にその作成された被撮影者一覧情報が送信される（ＳＴ３−３）。
撮影者用端末装置１２０は、被撮影者一覧情報を受信すると、表示入力部１２２に表示し、撮影者に対して今から撮影される顧客の氏名等を選択入力させる（ＳＴ３−４）。このように、表示入力部１２２に逐一被撮影者の一覧を表示させるので、間違って他の顧客を撮影することを未然に防ぐことができる。
【００３８】
撮影者がこれから撮影される顧客の氏名等を、表示入力部１２２から選択して入力する（ＳＴ３−５）。すると、この入力された顧客情報が、データ記憶領域３１５の格納場所を指定する情報（以下、「格納場所指定情報」とする。）として、格納場所指定部３６０に送信される（ＳＴ３−６）。
格納場所指定部３６０は、格納場所指定情報を受信すると、受信した格納場所指定情報を画像データ受信部３７０に通知する（ＳＴ３−７）。これにより、画像データ受信部３７０はこれからデジタルカメラ１１０から送信される画像データの格納場所を特定することができる。
そして、デジタルカメラ１１０による撮影で撮影処理部１１１により画像データが作成されると（ＳＴ３−８）、作成された画像データはデジタルカメラ１１０の画像データ送信部１１２を経由して、サーバ装置３００の画像データ受信部３７０に送信される（ＳＴ３−９）。画像データ受信部３７０は画像データを受信すると、ＳＴ３−７により通知された格納場所指定情報からデータ記憶領域３１５内の格納場所を特定し、特定した格納場所に受信した画像データを格納する（ＳＴ３−１０）。
【００３９】
ここで、引き続き同一の顧客を撮影する場合には、ＳＴ３−８乃至ＳＴ３−１０が繰り返される。これは、画像データ受信部３７０が特定している格納場所に変更がないためである。しかし、別の顧客を撮影する場合、つまり、データ記憶領域３１５内に複数の格納場所が確保されており、画像データの格納場所を変える場合には、ＳＴ３−１から順次行って画像データの格納場所を指定する。よって、複数の顧客に対して、撮影で作成した画像データの格納場所を、それぞれ顧客毎に指定することができる。また、一台のデジタルカメラ１１０で、かつ顧客毎に記録媒体を用意する必要がないので、効率的である。また、被撮影者が衣裳替えなどを行う場合には、その空いた時間に別の顧客の撮影を行うことができる。
【００４０】
また、顧客が全ての撮影を終了する場合には、撮影終了後、撮影者用端末装置１２０の表示入力部１２２に表示された「撮影終了」のボタンを押す（ＳＴ３−１１）。すると、顧客用端末装置１２０からサーバ装置３００のサムネイル画像作成部３８０に対して撮影終了の制御情報が通知される（ＳＴ３−１２）。
【００４１】
サムネイル画像作成部３８０は、撮影終了の制御情報の入力を受けると、格納場所指定部３６０や画像データ受信部３７０から格納場所指定情報を入手し、入手した格納場所指定情報を基にデータ記憶領域３１５の格納場所を特定し、特定した格納場所に格納されている画像データのサムネイル画像を作成する（ＳＴ３−１３）。このとき、記憶部３１０の情報記憶領域３１１内の受付情報欄から格納場所指定情報を基に被撮影者の氏名などの顧客情報を削除する。一方、情報記憶領域３１１内の発注待ち情報欄に、被撮影者の氏名などの顧客情報を登録する。
【００４２】
次に、写真撮影システム１０による発注手順について説明する。
図７は本発明の写真撮影システム１０の発注手順を示すシーケンス図である。顧客は撮影が全て終了すると、撮影スタジオから顧客用端末装置２２０が設置された場所に移動し、そこで、本日撮影した結果を見ながら、印刷発注したい画像データを選択する。図７に示したシーケンス図は、店員が顧客に説明しながら、顧客用端末装置２２０を操作する場合で説明している。
【００４３】
顧客用端末装置２２０からサーバ装置３００に対して発注画面の送信要求がなされると（ＳＴ４−１）、サーバ装置３００の印刷受付部３９０は、記憶部３１０の情報記憶領域３１１の発注待ち情報欄から顧客情報を入手して、発注待ち顧客一覧情報を作成し（ＳＴ４−２）、発注画面として顧客用端末装置２００に返信する（ＳＴ４−３）。
顧客用端末装置２００は、受信した発注画面を表示入力部２２２に表示し、顧客の氏名などの顧客を特定する情報（「顧客特定情報」という。）の入力を顧客や店員に対して促す（ＳＴ４−４）。
【００４４】
顧客用端末装置２００の表示入力部２２２に対して顧客特定情報を入力し（ＳＴ４−５）、次の発注画面の表示要求の入力があると、顧客用端末装置２００はその表示要求を顧客特定情報と共に印刷受付部３９０に送信する（ＳＴ４−６）。
印刷受付部３９０は、顧客特定情報と共に次の発注画面の表示要求を受けると、顧客特定情報を基に、サムネイル画像作成部３８０に一時的に格納されている各サムネイル画像を抽出して（ＳＴ４−７）、顧客特定情報に対応した発注画面を作成して顧客用端末装置２２０に送信する（ＳＴ４−８）。
顧客用端末装置２００は、発注画面を受信すると、表示入力部２２２に表示する（ＳＴ４−９）。
次に、顧客は表示入力部２２２に表示された発注画面を見ながら、表示内容の指示に従って、印刷発注したい画像データを選択する（ＳＴ４−１０）。
【００４５】
顧客により発注したい画像データの選択が終了すると、顧客用端末装置２２０から選択した画像データについて、印刷注文情報として、印刷受付部３９０に送信される（ＳＴ４−１１）。ここで、印刷注文情報は、例えば、顧客の氏名又は会員番号と、画像データのファイル名とからなっている。
そして、印刷受付部３９０は、印刷注文情報を受けて、印刷発注処理を行う（ＳＴ４−１２）。例えば、図１に示すように、サーバ装置３００には第１のネットワーク５０を介してデータセンタサーバ装置２０に接続されているので、一定の期間毎に、データセンターサーバ装置２０に対して、サーバ装置３００の印刷受付部３９０にある印刷注文情報を送信する。データセンターサーバ装置２０は、印刷加工受付装置３０から定期的にデータセンターサーバ装置２０にある印刷注文情報を取得する。このように写真撮影印刷管理システム１を構築しておくことで、印刷加工受付装置３０に、印刷注文情報が渡されることになる。そして、印刷加工受付装置３０は、印刷注文情報に応じて写真を印刷する。
【００４６】
以上、本発明の写真撮影システム１０により、撮影予約、撮影当日の受付、撮影、写真発注がなされる。
特に、本発明においては、撮影当日の受付の段階において、サーバ装置３００のデータ記憶領域３１５に、顧客毎に、撮影により作成された画像データの格納場所が予め確保される。また、撮影の段階で、受付段階で予め確保された格納場所を撮影者用端末装置１２０から遠隔指定された後に、サーバ装置３００の画像データ受信部３７０に画像データが送信されるので、遠隔指定された格納場所に対して、画像データが格納される。よって、顧客毎に画像データがサーバ装置３００に格納される。特に、複数の顧客が繰り返し撮影スタジオで撮影を行う場合であっても、撮影を行う毎に撮影者用端末装置１２０から画像データの格納場所が指定されるので、サーバ装置３００に顧客毎に画像データを格納することができる。さらに、デジタルカメラ１１０からサーバ装置３００への画像データの送受信は、無線ＬＡＮ１１で行われるので、スタジオ内に不要なケーブル類を配線する必要がなく、特に被撮影者が子供や老年者であっても安全な撮影が可能で、撮影者はケーブル類に注意を払う必要がないため、スムーズに撮影業務を行うことができる。なお、本実施の態様では、被写体、即ち、被撮影者を単数の人物を対象として説明したが、人物に限らず愛玩動物や静物などであってもよいことは勿論である。
【図面の簡単な説明】
【００４７】
【図１】本発明の写真撮影システムが組み込まれる写真撮影印刷管理システムの構成図である。
【図２】本発明の写真撮影システムの構成図である。
【図３】サーバ装置の内部機能を模式的に示した構成図である。
【図４】本発明の写真撮影システムの撮影予約手順を示したシーケンス図である。
【図５】本発明の写真撮影システムの撮影受付手順を示したシーケンス図である。
【図６】本発明の写真撮影システムの撮影手順を示すシーケンス図である。
【図７】本発明の写真撮影システムの発注手順を示すシーケンス図である。
【符号の説明】
【００４８】
１  写真撮影印刷システム
２  被撮影者
３  撮影者
１０  写真撮影システム
１１  無線ＬＡＮ
１２  無線ＬＡＮアクセスポイント
１３  有線ＬＡＮ
２０  データセンターサーバ装置
３０  印刷加工受付装置
４０  管理センターサーバ装置
５０  第１のネットワーク
６０  第２のネットワーク
１００  撮影部
１１０  デジタルカメラ
１１１  撮影処理部
１１２  画像データ送信部
１２０  撮影者用端末装置
１２１，２１１，２２１，２３１  送受信部
１２２，２１２，２２２，２３２  表示入力部
１２３，２１３，２２３，２３３  制御部
２００  受付部
２１０  受付用端末装置
２２０  顧客用端末装置
２３０  清算業務用端末装置
３００  サーバ装置
３１０  記憶部
３１１  情報記憶領域
３１５  データ記憶領域
３２０  送受信部
３３０  予約管理部
３４０  受付管理部
３５０  格納場所管理部
３６０  格納場所指定部
３７０  画像データ受信部
３８０  サムネイル画像作成部
３９０  印刷受付部
【図１】
2006295254.tif 000003
【図２】
2006295254.tif 000004
【図３】
2006295254.tif 000005
【図４】
2006295254.tif 000006
【図５】
2006295254.tif 000007
【図６】
2006295254.tif 000008
【図７】
2006295254.tif 000009